(57)【要約】【課題】簡単な操作でもって閲覧者が希望する表示形態でＷｅｂページを表示することができるようにする。【解決手段】表示部の表示画面３０には、サーバ２からダウンロードしたＷｅｂページ３１とともに、その表示形態を変更可能とするリモコン形式のコントローラパネル５１が表示される。このコントローラパネル５１でカーソルによる簡単な操作を行なうことにより、Ｗｅｂページ３１を拡大表示したり、縮小表示したりすることができるし、また、同様にして、Ｗｅｂページ３１がモノクロ表示である場合、モノクロ反転表示させることもできるし、Ｗｅｂページ３１がカラー表示である場合、その色調を反転した表示とすることもできる。【選択図】図６
2005166009.tif 000002
【特許請求の範囲】
【請求項１】
ネットワークを介したサーバのサービスを受けることができるようにしたクライアント端末であって、
表示画面に、該サーバからダウンロードされたＷｅｂページとともに、該Ｗｅｂページの表示形態を変更操作するためのリモコン形態のコントローラパネルを表示可能としたことを特徴とするクライアント端末。
【請求項２】
請求項１において、
前記コントローラパネルでは、前記Ｗｅｂページの拡大率を変更させるための操作手段、モノクロ反転のための操作手段及び色調反転のための操作手段を設けたことを特徴とするクライアント端末。
【請求項３】
請求項１において、
前記コントローラパネルは、
前記Ｗｅｂページの拡大率を変更させるための表示サイズ変更操作手段と、
該表示サイズ変更手段で変更可能な表示形態以外の前記Ｗｅｂページの表示形態であって、該表示形態毎に設定・変更を行なうための複数の操作手段を選択的に表示する機能設定領域と、
該複数の操作手段のいずれか１つを選択して該機能設定領域に表示させるための機能選択操作手段と
を備え、該機能選択操作手段で選択されて該機能設定領域に表示された該操作手段を操作することにより、該操作に応じた表示形態で前記Ｗｅｂページを表示させることを特徴とするクライアント端末。
【請求項４】
請求項３において、
前記機能選択操作手段で選択可能な前記複数の操作手段は、
前記Ｗｅｂページのモノクロ反転表示や色調反転表示を行なわせるためのカラー変更操作手段と、
前記Ｗｅｂページの文章の読み上げを行なわせる音声読み上げ操作手段と、
前記Ｗｅｂページの文章にふりがなを付けるふりがな（ルビ）操作手段と
であることを特徴とするクライアント端末。
【請求項５】
請求項４において、
前記音声読み上げ操作手段は、読み上げる音量や速さの調整を可能としたことを特徴とするクライアント端末。
【請求項６】
請求項４において、
前記音声読み上げ操作手段は、前記Ｗｅｂページの読み上げる位置を変更可能としたことを特徴とするクライアント端末。
【請求項７】
請求項４において、
ふりがな（ルビ）操作手段は、前記Ｗｅｂページの文章に、ひらがなとローマ字のふりがなを選択的に可能としたことを特徴とするクライアント端末。
【請求項８】
請求項２〜７において、
前記操作手段は、カーソル操作によって機能することを特徴とするクライアント端末。
【発明の詳細な説明】
【技術分野】
【０００１】
本発明は、サーバからダウンロードされたＷｅｂページを閲覧するクライアント端末に係り、特に、Ｗｅｂページの表示形態の操作に関する。
【背景技術】
【０００２】
近年、インターネットが普及し、情報の発信や情報の収集，検索のための場として活用されている。そして、これを活用する手段として、クライアント端末としてのパソコンがインターネットに接続されて用いられ、インターネットに接続されたＷｅｂサーバからダウンロードされたＷｅｂページ（ホームページ）が、このクライアント端末に格納されているＷｅｂブラウザのもとに、表示画面に表示される。
【０００３】
そして、表示されるＷｅｂページのうちの文字画面については、画面上に表示される所定のボタンをクリック操作してＷｅｂブラウザの文字サイズの設定を行なうことにより、文字サイズの拡大や縮小を行なうことができるようにしているものもある。従って、高齢者や視覚障害者などのＷｅｂページの閲覧者にとって読みづらい文章も、これを拡大表示させることにより、読み易いものとなる。
【０００４】
しかしながら、かかる方法は文字画面にのみ可能であって、画像の画面では、そのサイズを変えることができない。
【０００５】
これに対し、Ｗｅｂページの全体画面を複数の部分画面に分割し、この全体画面を表示画面上に縮小して表示するとともに、この縮小画面からＷｅｂページの閲覧者が閲覧しようと思う領域を指定すると、この領域内の部分画面を合成して１つの合成画面を形成し、この合成画面を高画質の画面として拡大表示する方法が提案されている（特許文献１）。
【特許文献１】特開２００２ー１７５１３５
【発明の開示】
【発明が解決しようとする課題】
【０００６】
ところで、上記特許文献１に記載のものは、閲覧者は縮小表示された全体画面の中から自分が見たいと思う領域を指定する操作を行なうことが必要であるし、また、合成画面の拡大率も決められたものであって、閲覧者が希望する拡大率で表示されるものではない。
【０００７】
特に、高齢者や視覚障害者にとっては、簡単でやり易い操作で希望する部分を希望する拡大率で拡大表示できることが望ましく、しかも、かかる拡大率も人によって異なるものである。
【０００８】
また、通常、文字列を黒で、背景を白で表現しているが、高齢者や視覚障害者によっては、背景が明るすぎて文字を読みにくいという場合もあるし、また、得に視覚障害者にとっては、見えにくい色がある場合、色付きの画像が見えにくくなる場合もある。そこで、文字列と背景とで白黒を反転するといった処理や画像の表示色を変換するといった処理が考えられるが、このような場合でも、特に、高齢者や視覚障害者にとって簡単な操作でもって行なうことができることが望まれる。
【０００９】
本発明は、かかる点に鑑みてなされたものであって、その目的は、簡単な操作でもって閲覧者が希望する各種の表示形態でＷｅｂページを表示することができるようにしたクライアント端末を提供することにある。
【課題を解決するための手段】
【００１０】
上記目的を達成するために、本発明は、ネットワークを介したサーバのサービスを受けることができるようにしたクライアント端末であって、表示画面に、サーバからダウンロードされたＷｅｂページとともに、Ｗｅｂページの表示形態を変更操作するためのリモコン形態のコントローラパネルを表示可能としたものである。
【００１１】
また、コントローラパネルでは、Ｗｅｂページの拡大率を変更させるための操作手段、モノクロ反転のための操作手段及び色調反転のための操作手段を設けたものである。
【００１２】
また、コントローラパネルは、Ｗｅｂページの拡大率を変更させるための表示サイズ変更操作手段と、表示サイズ変更手段で変更可能な表示形態以外のＷｅｂページの表示形態であって、表示形態毎に設定・変更を行なうための複数の操作手段を選択的に表示する機能設定領域と、複数の操作手段のいずれか１つを選択して機能設定領域に表示させるための機能選択操作手段とを備え、機能選択操作手段で選択されて機能設定領域に表示された操作手段を操作することにより、その操作に応じた表示形態でＷｅｂページを表示させるものである。
【００１３】
また、機能選択操作手段で選択可能な複数の操作手段は、Ｗｅｂページのモノクロ反転表示や色調反転表示を行なわせるためのカラー変更操作手段と、Ｗｅｂページの文章の読み上げを行なわせる音声読み上げ操作手段と、Ｗｅｂページの文章にふりがなを付けるふりがな（ルビ）操作手段とするものである。
【００１４】
また、音声読み上げ操作手段は、読み上げる音量や速さの調整を可能としたものである。
【００１５】
また、音声読み上げ操作手段は、Ｗｅｂページの読み上げる位置を変更可能としたものである。
【００１６】
また、ふりがな（ルビ）操作手段は、Ｗｅｂページの文章に、ひらがなとローマ字のふりがなを選択的に可能としたものである。
【００１７】
また、操作手段は、カーソル操作によって機能するものである。
【発明の効果】
【００１８】
本発明によれば、使い慣れたリモコンの形態で表示されるコントローラパネルを操作することにより、Ｗｅｂページの表示形態を変更できるものであるから、Ｗｅｂページの閲覧者が好みのあるいは見るのに好都合な表示形態を手慣れた操作で設定することを可能にする。
【００１９】
そして、その表示形態としては、Ｗｅｂページのサイズや表示カラーを好みのもの、見易いものに変更することが可能であり、Ｗｅｂページを閲覧者に適した表示形態で表示させることができる。
【００２０】
さらに、本発明では、サイズや表示カラーばかりでなく、Ｗｅｂページの音声読み上げを行なわせることができるし、また、ふりがなを付けることもでき、閲覧者にとってＷｅｂページの内容がより理解し易いものとなる。
【００２１】
しかも、本発明によると、かかるコントローラパネルの操作をカーソル操作で行なうものであるが、コントローラパネルでの各操作手段は、カーソルでタッチすることによって機能させることを可能とするものであって、所望とする操作手段にカーソルで操作するだけでよく、コントローラパネルの操作が非常に簡単なものとなる。
【発明を実施するための最良の形態】
【００２２】
以下、本発明の実施形態を図面を参照して説明する。  
図１は本発明によるクライアント端末の利用システムを示すシステム構成図であって、１はクライアント端末、２はサーバ、３はネットワークである。
【００２３】
同図において、１もしくは複数のサーバ２と複数のクライアント端末１とがインターネットやイントラネットなどのネットワーク３を介して接続されており、これにより、システムが構成されている。サーバ２には、クライアント端末１側にサービスを提供するためのソフトウェアやクライアント端末１にダウンロードするソフトウェア，Ｗｅｂページなどのデータが格納されており、また、クライアント端末１には、それ自身が動作するためのソフトウェアやサーバ２からダウンロードされたＷｅｂページなどのデータを表示するためのＷｅｂブラウザなどが格納されている。
【００２４】
クライアント端末１がサーバ２にアクセスして所望とするＷｅｂページを要求すると、サーバ２は、このＷｅｂページとともに、このＷｅｂページの表示の制御に関する情報（ソフトウェアや画像情報などであって、以下、表示制御情報という）もアクセスしたクライアント端末１にダウンロードする。このクライアント端末１では、これらがダウンロードされると、メモリに一旦格納され、Ｗｅｂブラウザの動作のもとに、このＷｅｂページがメモリから読み出されて表示画面で表示され、また、このクライアント端末の閲覧者の所定の操作により、表示制御情報もメモリから読み出されて、Ｗｅｂページの表示形態を閲覧者が制御できるようにするための手段、即ち、後述のコントローラのパネルの画像（以下、単にコントローラパネルという）もこの表示画面で表示される。このコントローラパネルは閲覧者にとってクライアント端末のインターフェースをなすものであって、閲覧者がこのコントローラパネルを操作することにより、表示されているＷｅｂページの表示形態を変更させることができる。
【００２５】
図２は図１における本発明によるクライアント端末１の第１の実施形態の概略構成を示すブロック図であり、１１はＣＰＵ、１２は記憶部、１３は外部端子、１４は通信制御部、１５は入力部、１６は表示部である。
【００２６】
同図において、クライアント端末１には、記憶部１２に格納されているプログラムに基づいて各部の制御や各種の処理動作を行なうＣＰＵ１１と、図１に示すネットワーク３を介してサーバ２との通信を行なうための通信制御部１４と、ＣＰＵ１１を動作させるためのプログラムや各種データ，サーバ２からダウンロードされる表示制御情報などを格納した記憶部１２、キーボードやマウスなどの入力部１５、ダウンロードされたＷｅｂページなどを表示する表示部１６、プリンタなどの周辺機器を接続するための外部端子１３などが備えられている。
【００２７】
ここで、後述するように、表示部１６の表示画面にＷｅｂページの表示形態を変更できるようにするためのコントローラパネルが表示されるが、このコントローラパネルのユーザインターフェイスとしての機能は、入力部１５に属することになる。従って、この表示されているコントローラパネルをＷｅｂページの閲覧者が操作すると、この操作の結果は入力部１５から入力されたことになる。
【００２８】
図３はサーバ２からクライアント端末１にダウンロードされたＷｅｂページやその表示形態を制御するためのソフトウェアを示す図である。
【００２９】
同図において、Ｗｅｂブラウザ２０は予め記憶部１２（図３）に格納されており、また、表示の対象となるＨＴＭＬ（Hyper Text Markup Language）ファイルのＷｅｂページ２１や表示部１６の表示画面にコントローラパネルを表示するためのＨＴＭＬファイル２２，このコントローラパネルでの操作を可能とするためのインターフェース操作プログラム２３，このコントローラパネルでの操作に伴ってＷｅｂページ２１の表示形態を変更させるための対象ＨＴＭＬ変更プログラム２４は、サーバ２からダウンロードされると、記憶部１２に格納される。
【００３０】
記憶部１２に格納された表示の対象となるＨＴＭＬファイルのＷｅｂページ２１は、Ｗｅｂブラウザ２０により、表示部１６の表示画面に表示される。また、閲覧者がＷｅｂページ２１が表示されている状態で所定の操作をすると、コントローラパネルのＨＴＭＬファイル２２により、表示画面にコントローラパネルが表示される。このコントローラパネルを閲覧者が操作することにより、インターフェース操作プログラム２３がその操作結果に応じた動作を実行し、これにより対象ＨＴＭＬ（即ち、Ｗｅｂページ）の変更プログラム２４が動作して、このＷｅｂページの表示形態がこの閲覧者の操作に応じたものに変更される。
【００３１】
次に、上記のように情報がダウンロードされた後のこの第１の実施形態のクライアント端末１のＷｅｂページの表示動作について説明する。
【００３２】
図４はこの第１の実施形態のかかる表示処理動作の一具体例を示すフローチャートである。
【００３３】
ユーザが入力部１５（図２）を操作してサーバ２（図１）にアクセスすることにより、サーバ２からＷｅｂページや表示制御情報がダウンロードされて記憶部１２（図２）に格納されると、ＣＰＵ（図２）は記憶部１２のＷｅｂブラウザを用いて、図５に示すように、表示部１６（図２）の表示画面３０にＷｅｂページ３１を表示させる。そして、この表示画面３０上で所定のクリック操作がなされると、あるいはキーボード（図示せず）で所定の操作がなされると、Ｗｅｂブラウザ２０によって、図６に示すように、表示画面３０上で、Ｗｅｂページとともに、コントローラパネル３２が表示される（図４のステップ１００）。
【００３４】
ここでは、コントローラパネル３２は、表示画面３０でのＷｅｂページ３１の表示領域外に表示されるものとしたが、Ｗｅｂページ３１が表示画面３０全体に表示される場合には、Ｗｅｂページ３１に重なってコントローラパネル３２が表示される。
【００３５】
ここで、図７により、このコントローラパネル３２について説明する。  
図７は表示画面３０に表示されるコントローラパネル３２の一具体例を示す図であって、３３は表示サイズ変更操作部、３４は連続変更操作部、３４ａはスライダ、３４ｂは拡大率の目盛、３５ａは「縮小」ボタン、３５ｂは「拡大」ボタン、３５ｃは「標準サイズ」ボタン、３６は拡大率表示部、３７は画面カラー変更操作部、３８は「白黒」表示ボタン、３９は「白黒反転」表示ボタン、４０は「色の反転」表示ボタン、４１は「色を元に戻す」ボタン、３８ａ〜４０ａはアイコン、３８ｂ〜４０ｂは操作表示マーク、４２は「ヘルプ」ボタンである。
【００３６】
同図において、コントローラパネル３２は、テレビやビデオなどで用いられるリモコンのパネル部と同様の構成をなすものであって、図示しないカーソルによって操作されるものであるが、かかるリモコンと同様の感触で操作を行なうことができるようにしている。
【００３７】
このコントローラパネル３２は、表示画面３０に表示されるＷｅｂページ３１の画面サイズを変更させることができる表示サイズ変更操作部３３とその画面のカラー（モノクロも含む）を変更させることができる画面カラー変更操作部３７とからなっている。
【００３８】
表示サイズ変更操作部３３では、Ｗｅｂページ３１の画面サイズを連続的に変更させることができる連続変更操作部３４と、不連続に変更させるための「縮小」ボタン３５ａ，「拡大」ボタン３５ｂと、標準の画面サイズに戻すための「標準サイズ」ボタン３５ｃとが設けられている。連続変更操作部３４では、拡大率の目盛３４ｂとスライダ３４ａとが設けられており、この拡大率の目盛３４ｂには、例えば、５０％から３００％までが付されて、この範囲内で拡大率を連続的に変更できるようにしている。
【００３９】
この拡大率の変更は、スライダ３４ａを移動させることによって行なうことができる。即ち、マウスを操作してカーソルをこのスライダ３４ａに触れ（タッチ）させ、このスライダ３４ａの三角印の右向きマークで表わされる方向（右方向）にドラッグすると、スライダ３４ａは右方向に移動して拡大率が増加する。また、カーソルをスライダ３４ａにタッチさせてその三角印の左向きマークで表わされる方向（左方向）にドラッグすると、スライダ３４ａは左方向に移動して拡大率が減少する。そして、このようにスライダ３４ａを移動させて拡大率を変化されるとともに、拡大率表示部３６で表示される拡大率も変化していく。所望の拡大率に設定するためには、スライダ３４ａが目盛３４ｂの所望とする拡大率の位置に達したとき、ドラッグを解除すればよい。
【００４０】
なお、カーソルがスライダ３４ａにタッチしたときには、このスライダ３４ａは、例えば、青色に表示された状態となり（青色で影が表示された状態となってもよい）、カーソルがスライド３４ａの有効エリアにタッチした状態、即ち、ドラッグ（スライダ３４ａの操作）可能な状態であることが示され、ドラッグの開始とともに、この色が消される。
【００４１】
また、「縮小」ボタン３５ａをカーソルでタッチすると、この「縮小」ボタン３５ａに、例えば、青色の影が生じたように表示された状態となってカーソルが「縮小」ボタン３５ａの有効エリアにタッチしていることが示され、かかる状態でクリック操作すると、現在設定されている拡大率から拡大率が所定時間の経過毎に所定量ずつ順次減少する。これとともに、スライダ３４ａも拡大率が減少する方向に移動し、拡大率表示部３６で表示される拡大率も減少する。このとき、「縮小」ボタン３５ａは、上記の影の表示状態に代わって、押し込まれてへこんだように表示された状態となり、「縮小」ボタン３５ａが機能していることが示される。
【００４２】
また、「拡大」ボタン３５ｂをカーソルでタッチすると、この「拡大」ボタン３５ｂに、例えば、青色の影が生じたように表示された状態となってカーソルが「拡大」ボタン３５ｂの有効エリアにタッチしていることが示され、かかる状態でクリック操作すると、現在設定されている拡大率から拡大率が所定時間の経過毎に所定量ずつ順次増加する。これとともに、スライダ３４ａも拡大率が増加する方向に移動し、拡大率表示部３６で表示される拡大率も増加する。このとき、「拡大」ボタン３５ｂは、上記の影の表示状態に代わって、押し込まれてへこんだように表示された状態となり、「拡大」ボタン３５ｂが機能していることが示される。
【００４３】
従って、スライダ３４ａは常に現在の拡大率の位置にあり、拡大率表示部３６も、常に現在の拡大率を表示している。さらに、「標準サイズ」ボタン３５ｃをカーソルでタッチし（この場合も、「標準サイズ」ボタン３５ｃに青色の影が生じたように表示され、カーソルが「標準サイズ」ボタン３５ｃの有効エリアにタッチしていることが示される）、この状態でクリック操作すると（このとき、「標準サイズ」ボタン３５ｃは、青色の影が消えてへこんだ表示状態となる）、拡大率が１００％（即ち、デフォルト値）に戻される。このときには、スライダ３４ａは拡大率１００％の位置にあり、拡大率表示部３６は拡大率１００％を表示する。
【００４４】
このように、スライダ３４ａや「縮小」ボタン３５ａ，「拡大」ボタン３５ｂや「標準サイズ」ボタン３５ｃでは、カーソルがタッチしたときには、色弱者でも見易い色、例えば、上記のように、青色で影を付けるなどされ、これらがタッチされた状態になったことを閲覧者が容易に認識できる。
【００４５】
画面カラー変更操作部３７では、「白黒」表示ボタン３８，「白黒反転」表示ボタン３９，「色の反転」表示ボタン４０毎に、夫々の機能を表わすアイコン３８ａ，３９ａ，４０ａが設けられ、また、操作されたことを示す操作表示マーク３８ｂ，３９ｂ，４０ｂ（ここでは、これらを三角形状としているが、他の形状としてもよい）が設けられている。これらアイコン３８ａ，３９ａ，４０ａによっても、これら表示ボタン３８〜４０の機能を推測できるようにしている。
【００４６】
「白黒」表示ボタン３８は、これをクリック操作すると、白黒反転表示されていたモノクロのＷｅｂページ３１全体を元のモノクロ表示に戻するものである。この場合、表示サイズ変更操作部３３での上記各操作手段と同様、「白黒」表示ボタン３８にカーソルでタッチすると、この「白黒」表示ボタン３８に、例えば、青色の影が生じたように表示された状態となってカーソルがこの「白黒」表示ボタン３８の有効エリアにタッチしていることが示される。かかる状態でクリック操作すると、「白黒」表示ボタン３８が押し込まれてへこんだように表示され、白黒反転表示されていたモノクロのＷｅｂページ３１が元のモノクロ表示に戻される。このように、モノクロの表示状態となると、その操作表示マーク３８ｂが上記の影の色とは異なり、かつ色弱者でも見易い所定の色（例えば、橙色など）で点灯する。この操作表示マーク３８ｂが点灯している状態は、現在表示されているＷｅｂページ３１が元のモノクロ表示されていることを示している。
【００４７】
モノクロ表示反転表示ボタン３９は、これをクリック操作すると、モノクロのＷｅｂページ３１全体をモノクロ表示から白黒反転した表示状態に変更するものである。この場合も、表示サイズ変更操作部３３での上記各操作手段と同様、モノクロ表示反転表示ボタン３９にカーソルでタッチすると、このモノクロ表示反転表示ボタン３９に、例えば、青色の影が生じたように表示された状態となってカーソルがこのモノクロ表示反転表示ボタン３９の有効エリアにタッチしていることが示される。かかる状態でクリック操作すると、モノクロ表示反転表示ボタン３９が押し込まれてへこんだように表示され、モノクロのＷｅｂページ３１が白黒反転された状態で表示されるようになる。このように、白黒反転の表示状態となると、その操作表示マーク３９ｂが上記の影の色とは異なり、かつ色弱者でも見易い所定の色（例えば、橙色など）で点灯する。この操作表示マーク３９ｂが点灯している状態は、現在表示されているモノクロのＷｅｂページ３１が白黒反転されて表示されていることを示している。
【００４８】
Ｗｅｂページ３１がモノクロ表示（即ち、文字が表示されているエリアを例に取ると、文字部分が黒で、背景部分が白で表示される表示形態）であるときには、「白黒」表示ボタン３８での操作表示マーク３８ｂが着色点灯し、Ｗｅｂページ３１がこれを白黒反転した表示であるときには、「白黒反転」表示ボタン３９での操作表示マーク３９ｂが着色点灯する。従って、例えば、「白黒反転」表示ボタン３９がクリックされてＷｅｂページ３１がモノクロ反転表示されると、その操作表示マーク３９ｂが着色点灯し、画面カラー変更操作部３７の他の表示ボタンがクリックされて他の表示形態に変更されるまで、この操作表示マーク３９ｂの着色点灯が継続する。
【００４９】
ところで、表示画面３０で表示されるモノクロのＷｅｂページ３１を見た場合、現在このＷｅｂページ３１が元の白黒の状態で表示されているのか、これを白黒反転した状態で表示されているのか、判断することは困難である。この第１の実施形態では、このように、「白黒」表示ボタン３８と「白黒反転」表示ボタン３９に夫々操作表示マーク３８ｂ，３９ｂを設け、これらの状態から元の白黒の表示状態か、これを白黒反転した表示状態かを容易に判断できるようにしているのである。
【００５０】
「色の反転」表示ボタン４０は、表示されているＷｅｂページ３１がカラー画面である場合（モノクロ画面は含まない）、これをクリック操作すると、このＷｅｂページ３１全体の色が、例えば、補色に反転されるものである（これを、以下、色反転という。なお、この色反転は必ずしも補色にすることである必要はなく、各色毎に予め変更する色を決めておき、「色の反転」表示ボタン４０をカーソルでタッチすると、各部の色が該当する色に表示が変わるようにしてもよい。このような処理も、色反転という）。この場合も、表示サイズ変更操作部３３での上記各操作手段と同様、「色の反転」表示ボタン４０にカーソルでタッチすると、この「色の反転」表示ボタン４０に、例えば、青色の影が生じたように表示された状態となってカーソルがこの「色の反転」表示ボタン４０の有効エリアにタッチしていることが示される。かかる状態でクリック操作すると、「色の反転」表示ボタン４０が押し込まれてへこんだように表示され、カラーのＷｅｂページ３１が色反転された状態で表示されるようになる。このように、色反転の表示状態となると、その操作表示マーク４０ｂが上記の影の色とは異なり、かつ色弱者でも見易い所定の色（例えば、橙色など）で点灯する。この操作表示マーク４０ｂが点灯している状態は、現在表示されているカラーのＷｅｂページ３１が色反転されて表示されていることを示している。元の色の表示に戻すためには、「色を元に戻す」ボタン４１をクリックすればよい。
【００５１】
表示画面３０で表示されるカラーのＷｅｂページ３１を見た場合、現在このＷｅｂページ３１が元の色調で表示されているのか、その色反転されて表示されているのか判断することは困難である。この第１の実施形態では、このように、「色の反転」表示ボタン４０に操作表示マーク４０ｂを設け、その状態から元の色調の表示状態か、これを色反転した表示状態かを容易に判断できるようにしているのである。
【００５２】
以上のように、コントロールパネル３２はテレビやビデオなどの他の家電機器のリモコンのパネルと同様の形式の構成をなしており、しかも、カーソルで操作するものであるが、このカーソルがあたかも操作者の指先であるようなものとして、各操作手段をリモコンでの各操作手段と同様の操作をすることができるものであるから、一般の人が通常使い慣れている他の家電機器のリモコンと同様の感覚でコントローラパネル３２の操作を行なうことができ、高齢者や視覚障害者，幼児などにとっても操作がし易いものとなる。
【００５３】
なお、コントローラパネル３２には、「ヘルプ」ボタン４２も設けられており、これをカーソルでタッチすることにより、このコントローラパネルとは別位置のウェンドウにより、このコントローラパネル３２に関する説明画面（図示せず）が表示される。
【００５４】
また、以下では、コントローラパネル３２の説明は、図７をもって説明する。さらに、上記の表示ボタンやスライダを上記のようにクリック，ドラッグ操作することを、以下では、単に、かかる表示ボタンやスライダを操作するということにする。
【００５５】
図４に戻って、図６に示したように、表示画面３０にコントローラパネル３２も表示され（ステップ１００）、このコントロールパネル３２の表示サイズ変更操作部３３のスライダ３４ａが操作されると（ステップ１０１，１０２）、このスライダ３４ａの位置に応じた拡大率が設定され（ステップ１０３）、この拡大率でＷｅｂページ（対象ＨＴＭＬ）３１が表示される（ステップ１０８）。
【００５６】
図８は拡大率２５０％で拡大表示されている状態を示し、また、図９はＷｅｂページ３１が拡大率７０％で縮小表示されている状態を示すものである。
【００５７】
ここで、拡大率＝αの拡大／縮小表示とは、Ｗｅｂページ３１の左上角（図８の点Ｐの位置）を基準位置として、Ｗｅｂページ３１の横幅，縦幅をともにα％拡大／縮小するものである。また、拡大表示とは、基準サイズ（拡大率が１００％であって、表示開始されたときの画面サイズ）に対して横幅，縦幅が拡大されて表示されることを、縮小表示とは、基準サイズに対して横幅，縦幅が縮小されて表示されることを夫々いう。従って、これら拡大表示，縮小表示は、スライダ３４ａや「拡大」ボタン３５ｂを操作して現在の拡大率から拡大率を増加させて表示するということやスライダ３４ａや「縮小」ボタン３５ａを操作して現在の拡大率から拡大率を減少させて表示するということと、異なる意味である。
【００５８】
図８に示す拡大表示状態では、通常のように、スクロールバー３３ａ，３３ｂを操作することにより、Ｗｅｂページ３１を縦，横にスクロールさせることができ、これにより、拡大表示されたＷｅｂページ３１の任意のエリアを閲覧することができる。
【００５９】
コントロールパネル３１の表示サイズ変更操作部３３において、「縮小」ボタン３５ｂを操作した場合には（図４のステップ１０４）、拡大率が現在の拡大率から所定の値、例えば、５％だけ減少し（図４のステップ１０６）、その拡大率でＷｅｂページ３０１が表示される（図４のステップ１０８）。そして、ステップ１０１に戻るが、「縮小」ボタン３５ｂが操作されている限り、所定の時間毎にステップ１０１，１０２，１０４，１０６，１０８の動作が繰り返され、これにより、この所定時間毎に所定の値（上記の場合、５％）ずつ拡大率が減少していく。
【００６０】
このことは、「拡大」ボタン３５ｂが操作された場合（図４のステップ１０４，１０７）も同様であり、所定の時間毎にステップ１０１，１０２，１０４，１０７，１０８の動作が繰り返され、これにより、この所定時間毎に所定の値（上記の場合、５％）ずつ拡大率が増加していく。
【００６１】
図８または図９に示す表示状態で「標準サイズ」ボタン３５ｃを操作すると（図４のステップ１０４）、図６に示した拡大率１００のもとの画面サイズのＷｅｂページ３１の表示状態に戻る（ステップ１０５，１０８）。
【００６２】
次に、表示されるＷｅｂページ３１がモノクロの画面である場合、図６に示す標準サイズの表示状態，図８に示す拡大表示状態，図９に示す縮小表示状態のいずれか、例えば、図６に示す表示状態でコントロールパネル３１の画面カラー変更操作部３７において（図４のステップ１０１）、「白黒反転」表示ボタン３９が操作されると（図４のステップ１０９）、図１０に示すように、モノクロの画面で白部分が黒に、黒部分が白に夫々反転した表示形態でＷｅｂページ３１が表示される。このモノクロ画面で白黒濃淡をもつ場合には、その濃度の割合が反転する（図４のステップ１１１）。Ｗｅｂページ３１がこのようにモノクロ反転表示されているときに、コントロールパネル３１の画面カラー変更操作部３７において（図４のステップ１０１）、「白黒」表示ボタン３８が操作されると（図４のステップ１０９）、図６に示すように、元のモノクロ表示でＷｅｂページ３１が表示されることになる（図４のステップ１１０）。
【００６３】
このようにして、モノクロ表示のＷｅｂページ３１が表示されている場合、これを白黒反転させて表示させることができるし、モノクロ反転表示されているＷｅｂページ３１をモノクロ表示に戻することもできる。従って、モノクロ表示では、白色の背景が眩しすぎて見ずらいＷｅｂページ３１であれば、コントローラパネル３２での「白黒反転」表示ボタン３９の上記のような簡単な操作により、このＷｅｂページ３１をモノクロ反転表示で表示させることができる。また、このモノクロ反転表示によるＷｅｂページ３１がこの表示形態ては見づらいものであれば、コントローラパネル３２での「白黒」表示ボタン３８の上記のような簡単な操作により、このＷｅｂページ３１をもとのモノクロ表示状態とすることができる。
【００６４】
また、表示されるＷｅｂページ３１がカラー画面である場合、図６に示す標準サイズの表示状態，図８に示す拡大表示状態，図９に示す縮小表示状態のいずれか、例えば、図６に示す表示状態でコントロールパネル３１の画面カラー変更操作部３７において（図４のステップ１０１）、「色の反転」表示ボタン４０が操作されると（図４のステップ１０９）、図１１に示すように、色調が反転された（例えば、補色の）表示形態でＷｅｂページ３１が表示される（図４のステップ１１２）。Ｗｅｂページ３１がこのように色調反転表示されているときに、コントロールパネル３１の画面カラー変更操作部３７において（図４のステップ１０１）、「色を元に戻す」ボタン４１が操作されると（図４のステップ１０９）、図６に示す元の色調のＷｅｂページ３１が表示されることになる（図４のステップ１１３）。
【００６５】
このようにして、カラーでＷｅｂページ３１が表示されている場合、例えば、背景色などによって見づらい画面となっているときには、コントローラパネル３２での「色の反転」表示ボタン４０の簡単な操作により、色調反転が行なわれて見易いＷｅｂページ３１が表示されることになる。
【００６６】
以上のような各種の表示形態でＷｅｂページ３１が表示されているとき、コントローラパネル３２の操作が行なわれないときには、ステップ１０１，１１４が繰り返されてその表示状態が継続して待機しており、所定の操作によってコントローラパネル３２のウィンドウが閉じられると（図４のステップ１１５）、表示されるＷｅｂページ３１の拡大率やモノクロ，色調などは元の状態（図６に示す状態）に戻り（図４のステップ１１５）、Ｗｅｂページ３１だけが表示される状態となって表示形態の変更モードは完了する。
【００６７】
なお、以上の第１の実施形態では、サーバ２をアクセスする毎に、図３で示すコントローラパネルのＨＴＭＬファイル２２やインターフェース操作プログラム２３，対象ＨＴＭＬ（即ち、Ｗｅｂページ）の変更プログラム２４も、Ｗｅｂページとともに、サーバ２からダウンロードするものとしたが、クライアント端末１にインストールされたものであってもよい。
【００６８】
次に、本発明によるクライアント端末の第２の実施形態について説明する。この第２の実施形態も図１に示すシステムに利用可能なものであり、その概略構成も、図２に示す構成と同様であるし、また、ダウンロードされたＷｅｂページやその表示形態を制御するためのソフトウェアも、図３で説明したものと同様である。
【００６９】
なお、この第２の実施形態では、図２において、クライアント端末１がサーバ２（図１）にアクセスして所望とするＷｅｂページを要求すると、サーバ２は、このＷｅｂページ及びこのＷｅｂページの表示の制御に関する情報（即ち、上記の表示制御情報）とともに、このＷｅｂページの文章を音声読み上げするための合成音声プログラムをクライアント端末１にダウンロードする。このクライアント端末１では、上記第１の実施形態と同様、これらがダウンロードされると、記憶部１２（図２）に一旦格納され、Ｗｅｂブラウザの動作のもとに、このＷｅｂページが記憶部１２から読み出されて表示画面で表示され、また、このクライアント端末の閲覧者の所定の操作により、表示制御情報も記憶部１２から読み出されて、Ｗｅｂページの表示形態を閲覧者が制御できるようにするための手段、即ち、後述のコントローラのパネルの画像（以下、単にコントローラパネルという）もこの表示画面で表示される。このコントローラパネルは閲覧者にとってクライアント端末１のインターフェースをなすものであって、閲覧者がこのコントローラパネルを操作することにより、表示されているＷｅｂページの表示形態を変更させることができる。また、このコントローラパネルの操作によって音声読み上げ機能が設定されると、合成音声プログラムを用いて表示部１６の表示画面に表示されるＷｅｂページの音声による読み上げが行なわれる。
【００７０】
図１２はこの第２の実施形態のかかる表示処理動作の一具体例を示すフローチャートである。
【００７１】
閲覧者が入力部１５（図２）を操作してサーバ２（図１）にアクセスすることにより、サーバ２（図１）からＷｅｂページや表示制御情報がダウンロードされて記憶部１２（図２）に格納されると、ＣＰＵ（図２）は記憶部１２のＷｅｂブラウザを用いて、図１３に示すように、表示部１６（図２）の表示画面３０にＷｅｂページ３１を表示させる。また、この表示画面３０では、Ｗｅｂページ３１の表示領域の、例えば、左辺部に縦長の表示／非表示切替スイッチエリア５０が設けられている（図１２のステップ２００）。
【００７２】
かかる状態で、この表示／非表示切替スイッチエリア５０のタッチ操作（図１２のステップ２０１）、あるいはクリック操作（図１２のステップ２０２）がなされるまで待機する。なお、表示／非表示切替スイッチエリア５０のタッチ操作とは、マウス操作により、所定時間（例えば、１〜２秒程度）以上、表示／非表示切替スイッチエリア５０内に図示しないカーソルを位置付ける状態にする操作をいい、また、表示／非表示切替スイッチエリア５０のクリック操作とは、マウス操作により、表示／非表示切替スイッチエリア５０内にカーソルを位置付けた状態で左クリックをする操作をいう。
【００７３】
表示／非表示切替スイッチエリア５０のタッチ操作（図１２のステップ２０１）がなされた場合については、後述するが、表示／非表示切替スイッチエリア５０のクリック操作がなされると（図１２のステップ２０２）、図１４に示すように、Ｗｅｂページ３１の表示領域の、例えば、左辺部に、Ｗｅｂページ３１とともに、コントローラパネル５１が表示される（図１２のステップ２０３）。
【００７４】
なお、ここでは、コントローラパネル５１は、表示画面３０でのＷｅｂページ３１の表示領域の左側に表示されるものとしたが、上記の第１の実施形態のように、Ｗｅｂページ３１の表示領域の左側に表示されるようにしてもよいし、また、Ｗｅｂページ３１が表示画面３０全体に表示される場合には、このＷｅｂページ３１に重なってコントローラパネル５１が表示されるようにしてもよい。
【００７５】
ここで、図１５により、このコントローラパネル５１について説明する。  
図１５は表示画面３０に表示されるコントローラパネル５１の一具体例を示す図であって、５２は表示サイズ変更操作部、５３は機能選択操作部、５４は「カラー変更」ボタン、５５は「よみあげ」ボタン、５６は「ふりがな」ボタン、５７は機能設定領域、５８は設定情報表示部、５９は「閉じる」ボタンであり、図７に対応する部分には同一符号を付けて重複する説明を省略する。
【００７６】
同図において、コントローラパネル５１は、テレビやビデオなどで用いられるリモコンのパネル部と同様の構成をなすものであって、図示しないカーソルによって操作されるものであるが、かかるリモコンと同様の感触で操作を行なうことができるようにしている。
【００７７】
このコントローラパネル５１は、表示画面３０に表示されるＷｅｂページ３１の画面サイズを変更させることができる表示サイズ変更操作部５２とＷｅｂページ３１の画面サイズ以外の機能を選択することができるようにした機能選択操作部５３とこの機能選択操作部５３で選択された機能の変更・設定を行なうことができる操作部が表示される機能設定領域５７とに区分されている。
【００７８】
表示サイズ変更操作部５２では、図７に示すコントローラパネル３２の表示サイズ変更操作部３３と同様、Ｗｅｂページ３１の画面サイズを連続的に変更させることができる連続変更操作部３４と、不連続に変更させるための「縮小」ボタン３５ａ，「拡大」ボタン３５ｂと、標準の画面サイズに戻すための「標準サイズ」ボタン３５ｃと、「ヘルプ」ボタン４２が設けられており、これらの操作に伴うＷｅｂページ３１の画面サイズの変化も同様であるし、また、「ヘルプ」ボタン４２が操作されることにより、コントローラパネル５１とは別位置のウィンドウにより、コントローラパネル５１に関する説明画面（図示せず）が表示される。
【００７９】
機能選択操作部５３には、「カラー変更」ボタン５４と「よみあげ」ボタン５５と「ふりがな」ボタン５６とが設けられており、カーソルで触れるだけのタッチ操作によって選択することができる。これらボタン５４〜５６は、それがタッチ操作されると、そのボタン部分が特定な色（例えば、黄色）で表示され、そのボタンが選択されたことが容易に判断できるようにしている。
【００８０】
図１３に示す表示画面３０で表示／非表示切替スイッチエリア５０がクリック操作されて図１４に示す表示画面３０になったときには、コントローラパネル５１での機能選択操作部５３では、ボタン５４〜５６のいずれかが選択された状態にあり、ここでは、図１５で示すように、「カラー変更」ボタン５４が選択された状態にあるものとしている。但し、他のボタン５５または５６が選択された状態にあってもよい。
【００８１】
「カラー変更」ボタン５４が選択された状態では、機能設定領域５７に画面カラー変更操作部３７が表示される。この画面カラー変更操作部３７も、図７における画面カラー変更操作部３７と同様であって、「白黒」表示ボタン３８，「白黒反転」表示ボタン３９，「色の反転」表示ボタン４０及び「色を元に戻す」ボタン４１を備えており、これらボタン３８〜４１毎に、夫々の機能を表わすアイコン３８ａ，３９ａ，４０ａが設けられ、また、操作されたことを示す操作表示マーク３８ｂ，３９ｂ，４０ｂ（ここでは、これらを円形状としているが、他の形状としてもよい）が設けられている。これらアイコン３８ａ，３９ａ，４０ａによっても、これら表示ボタン３８〜４０の機能を推測できるようにしている。
【００８２】
表示サイズ変更操作部５２には、また、設定情報表示部５８と「閉じる」ボタン５９とが設けられている。この設定情報表示部５８では、現在設定されている機能の設定情報が表示されるものであって、図示する状態では、表示サイズ変更操作部５２により、Ｗｅｂページ３１（図１４）の表示サイズが１００％と設定され、また、カラー変更操作部３７では、「白黒」表示ボタン３８が選択された状態にあって（この「白黒」表示ボタン３８に影が付けられてへこんだ状態にあるように表示され、かつ操作表示マーク３８ｂが色弱者でも見易い色（例えば、橙色など）で表示されている。他のボタン３９〜４１についても、選択された場合には、同様である）、Ｗｅｂページ３１はモノクロで表示されており、このような状態では、設定情報表示部５８では、「白黒」，「拡大率  １００％」という表示がなされる。
【００８３】
また、「閉じる」ボタン５９は、コントローラパネル５１のウィンドウを閉じ、図１３に示すＷｅｂページ３１のみの表示状態にするためのものである。なお、図１４に示すようにコントローラパネル５１が表示されている状態で表示／非表示切替スイッチエリア５０をクリック操作すると、同様にして、コントローラパネル５１のウィンドウが閉じて、図１３に示すＷｅｂページ３１のみの表示状態となる。このような「閉じる」ボタン５９や表示／非表示切替スイッチエリア５０のクリック操作が図１２でのステップ２０７であり、ステップ２０８でＷｅｂページ３１のみの表示状態となる。
【００８４】
図１４に示す表示画面３０での表示状態で（図１２のステップ２０３）、コントローラパネル５１での表示サイズ変更操作部５２（図１５）を操作すると（ステップ２０４）、先の第１の実施形態と同様、その操作に応じて図４でのステップ１０２〜１０８のいずれかのＷｅｂページ３１の表示の拡大率の変更処理が行なわれ、図８に示すようなＷｅｂページ３１の拡大表示や図９に示すような縮小表示が行なわれる（ステップ２０５）。そして、このように拡大率を所定に設定した後は、コントローラパネル５１の次の操作（ステップ２０４）や表示／非表示切替スイッチエリア５０のクリック操作（ステップ２０７）が行われるまで、Ｗｅｂページ３１がその設定された拡大率で表示されたままの状態に保持される（即ち、ステップ２０４，２０７の判定処理が繰り返される）。なお、Ｗｅｂページ３１が拡大表示されているときには、表示画面３０にその一部しか表示されないが、先の第１の実施形態と同様、図８に示すように、同時に表示されるスクロールバー３３ａ，３３ｂを操作することにより、Ｗｅｂページ３１の任意の場所を表示させることができる。
【００８５】
また、図１４に示す表示画面３０での表示状態で（図１２のステップ２０３）、コントローラパネル５１での画面カラー変更操作部３７（図１５）を操作すると（ステップ２０４。なお、機能選択操作部５３で「カラー変更」ボタン５４が選択されていないときには、このボタン５４を選択する）、先の第１の実施形態と同様、その操作に応じて図４でのステップ１０９〜１１３のいずれかのＷｅｂページ３１の画面カラーの変更処理が行なわれる（ステップ２０５）。
【００８６】
即ち、先の第１の実施形態と同様、機能選択操作部５３で「白黒」表示ボタン３８が選択された場合には、Ｗｅｂページ３１が、図１４に示すように、白黒画面で表示され、「白黒反転」表示ボタン３９が選択された場合には、Ｗｅｂページ３１が、図１６に示すように、図１４に示すＷｅｂページ３１の画面に対し、白黒が反転した画面で表示される。また、図１４に示すＷｅｂページ３１がカラー表示されている場合、「色の反転表示」ボタン３９が選択されると、先の第１の実施形態と同様、図１７に示すように、Ｗｅｂページ３１全体の色が、例えば、補色など予め決められた色に色反転される。そして、「色を元に戻す」ボタン４１が選択されると、Ｗｅｂページ３１のカラー表示が元に戻る。
【００８７】
そして、このように画面カラー変更操作部３７による設定状態は、コントローラパネル５１の次の操作（ステップ２０４）や表示／非表示切替スイッチエリア５０のクリック操作（ステップ２０７）が行われるまで保持され、Ｗｅｂページ３１がその設定された表示状態に保持される（即ち、ステップ２０４，２０７の判定処理が繰り返される）。
【００８８】
なお、以上のようにコントローラパネル５１の操作によってＷｅｂページ３１が白黒表示されていたり（図１４）、白黒反転表示されたり（図１６）、色調反転されたり（図１７）などしている場合には、コントローラパネル５１の表示サイズ変更操作部５２での設定情報表示部５８で、その旨の情報が表示される。
【００８９】
次に、図１７に示す表示状態の表示画面３０において（図１２のステップ２０３）、コントローラパネル５１の機能選択操作部５３での「よみあげ」ボタン５５をクリック操作すると（図１２のステップ２０４）、表示画面３０は図１８に示す表示状態となる。この表示画面３０では、図１７に示す表示画面３０と同様、Ｗｅｂページ３１と表示／非表示切替スイッチエリア５０とコントローラパネル５１とが表示されるが、このコントローラパネル５１は、画面カラー変更操作部３７に代わって、音声読み上げ操作部６０を備えたものとなる。そして、この操作部６０を操作することにより、Ｗｅｂページ３１の文章が読み上げられて合成音声でも出力され、眼の不自由な人や高齢者，幼児などでも、Ｗｅｂページ３１の内容が理解できるようにしている。
【００９０】
図１９は図１８に示す表示画面３０に表示されるコントローラパネル５１の拡大図であって、６０は音声よみあげ操作部、６１は「ＯＮ」ボタン、６２は「ＯＦＦ」ボタン、６１ａ，６２ａは操作表示マーク、６３は「前をよむ」ボタン、６４は「次をよむ」ボタン、６５は「一時停止」ボタン６、６６は「音量設定」ボタン、６７は「よむ速さ設定」ボタン、６６ａは音量表示部、６７ａはよむ速さ表示部であり、前出図面に対応する部分には同一符号を付けている。
【００９１】
同図において、「ＯＮ」ボタン６１はＷｅｂページ３１の読み上げを行なわせるためのものであって、これがクリック操作されると、Ｗｅｂページ３１の読み上げが開始される。また、「ＯＦＦ」ボタン６２がクリック操作されることにより、Ｗｅｂページ３１の読み上げが中止される。これら「ＯＮ」ボタン６１，「ＯＦＦ」ボタン６２も、クリック操作されて選択されたときには、押し込まれてへこんだように表示され、かつ操作表示マーク６１ａ，６２ａは、色弱者でも見易い色で点灯する。
【００９２】
「前をよむ」ボタン６３，「次をよむ」ボタン６４は読み上げ位置を変更するためのものであり、「前をよむ」ボタン６３がクリック操作されると、そのクリック操作毎に、Ｗｅｂページ３１の文章の読み上げ位置が、現在の読み上げ位置から、文章の１段落単位で前の方に移動していき、また、「次をよむ」ボタン６４がクリック操作されると、そのクリック操作される毎に、Ｗｅｂページ３１の文章の読み上げ位置が、現在の読み上げ位置から、文章の１段落単位で後の方に移動していく。
【００９３】
「音量設定」ボタン６６は、Ｗｅｂページ３１の文章を読むときの音声の音量を調整するためのものであり、この音量は１〜５の５段階に調整できる。この「音量設定」ボタン６６には、「＋」操作部と「−」操作部とが設けられており、「＋」操作部は、その部分をクリック操作する毎に、１段階ずつ音量を高くし、「−」操作部は、その部分をクリック操作する毎に、１段階ずつ音量を低くする。また、現在設定されている音量は音量表示部６６ａに表示される。
【００９４】
「よむ速さ設定」ボタン６７は、Ｗｅｂページ３１の文章を読む速さを調整するためのものであり、この速さも１〜５の５段階に調整できる。この「よむ速さ設定」ボタン６７にも、「＋」操作部と「−」操作部とが設けられており、「＋」操作部は、その部分をクリック操作する毎に、１段階ずつ読む速さを速くし、「−」操作部は、その部分をクリック操作する毎に、１段階ずつ読む速さを低くする。また、現在設定されている読む速さはよむ速さ表示部６７ａに表示される。
【００９５】
以上の音声読み上げ操作部６０を操作することにより、Ｗｅｂページ３１の音声読み上げを行なわせることができるが、次に、かかる音声読み上げ動作を図２０に示すフローチャートに基づいて説明する。なお、この図２０による読み上げ動作は、コントローラパネル５１の機能選択操作部５３での「よみあげ」ボタン５５をクリック操作することにより、あるいはコントローラパネル５１の音声読み上げ操作部６０を操作することにより（図１２のステップ２０４の「よみあげ」）、実行されるものである。
【００９６】
なお、この音声読み上げ動作は、図１８に示す表示画面３０でのコントローラパネル５１の音声読み上げ操作部６０を操作することによって行なわれるのであるが、このコントローラパネル５１の操作については、図１９をもとに説明する。
【００９７】
コントローラパネル５１の音声読み上げ操作部６０で「ＯＦＦ」ボタン６２が選択されているときには（図２０のステップ３００。なお、コントローラパネル５１の機能選択操作部５３の「よみあげ」ボタン５５が選択されて図１８に示す表示状態となったときには、操作を簡略化するために、通常、「ＯＮ」ボタン６１が選択された状態にある）、図１２でのステップ２０４に戻り、次にコントローラパネル５１での操作がなされるまで、表示画面３０では、図１８に示す表示状態が保たれながら、図１２でのステップ２０４，２０７を繰り替えす。
【００９８】
また、コントローラパネル５１の音声読み上げ操作部６０で「ＯＮ」ボタン６１が選択されているとき、あるいは選択されたときには（図１９のステップ３００）、Ｗｅｂページ３１の読み上げ開始位置を決め（図２０のステップ３０１。「前をよむ」ボタン６３，「次をよむ」ボタン６４がクリック操作されないときには、Ｗｅｂページ３１の開始となるタイトル）、この開始位置からのＷｅｂページ３１の読み上げ位置を決める（図２０のステップ３０２）。そして、この決定した位置の文章に対する合成音声のデータを記憶部１２（図２）から読み取り、ステップ３０６，３０７を経て、このとき設定されている（即ち、初期設定の）音量及び読む速さで合成音声を出力する。そして、ステップ３１３を経てステップ３０２に進み、Ｗｅｂページ３１の文章の次の読み上げ位置を決め、以下、同様にして、読み上げが行なわれる。
【００９９】
このようにして、音声読み上げ操作部６０が操作されないと、Ｗｅｂページ３１の開始位置から、初期設定の音量と読む速さで、音声読み上げが行なわれていく。このとき、表示画面３０に表示されるＷｅｂページ３１では、図１８に示すように、文章の読み上げされた部分７０が白黒反転、もしくは色調反転され（ここでは、途中から読み上げが行なわれている場合を示している）、読み上げられている部分が容易に分かるようにしている。なお、このようにＷｅｂページ３１の読み上げが行なわれているときには、コントローラパネル５１の表示サイズ変更操作部５２での設定情報表示部５８で、例えば、「音声ＯＮ」というように、音声読み上げの機能が実行されていることを示す情報が表示される。
【０１００】
図２０に戻って、かかる読み上げ状態にあるときに、一度読み上げたところを再度読み上げさせる場合には、音声読み上げ操作部６０の「前をよむ」ボタン６３をクリック操作する（図２０のステップ３０６）。このクリック操作を行なう毎に、読み上げる位置がＷｅｂページ３１の文章の１段落ずつ前の方に戻っていき、その位置から文章の読み上げ位置を決め（図２０のステップ３０４）、その決められた文章の合成音声データを記憶部１２（図２）から取り込んで音声出力をする（図２０のステップ３１２）。これ以降は、その位置から音声の読み上げを行なっていく。
【０１０１】
例えば、図１８に示すＷｅｂページ３１において、「介護保険制度に加入する人は」で始まる段落を音声読み上げしているときに「前をよむ」ボタン６３がクリック操作されると、１つ前の段落である「介護保険に加入する人」の読み上げに移り、さらに、「前をよむ」ボタン６３がクリック操作されると、さらに１つ前の段落の「介護保険制度は、」で始まる文章からの読み上げに移る。
【０１０２】
また、Ｗｅｂページ３１の読み上げ状態にあるときに、途中を飛ばして後の方の読み上げをさせたい場合には、音声読み上げ操作部６０の「次をよむ」ボタン６４をクリック操作する（図２０のステップ３０６）。このクリック操作を行なう毎に、読み上げる位置がＷｅｂページ３１の文章の１段落ずつ後の方に移動していき、その位置から文章の読み上げ位置を決め（図２０のステップ３０４）、その決められた文章の合成音声データを記憶部１２（図２）から取り込んで音声出力をする（図２０のステップ３１２）。これ以降は、その位置から音声の読み上げを行なっていく。
【０１０３】
例えば、図１８に示すＷｅｂページ３１において、「介護保険制度に加入する人は」で始まる段落を音声読み上げしているときに「次をよむ」ボタン６４がクリック操作されると、１つ後の段落である「「第１号被保険者」とは、」で始まる文章の読み上げに移り、さらに、「先をよむ」ボタン６４がクリック操作されると、さらに１つ後の段落の「「第２号被保険者」とは、」で始まる文章からの読み上げに移る。
【０１０４】
このようにして、「前をよむ」ボタン６３や「次をよむ」ボタン６４をクリック操作することにより、読み上げをさせたい位置を適宜決めることができる。
【０１０５】
また、Ｗｅｂページ３１の読み上げが行なわれているときに「音量設定」ボタン６６をクロック操作することにより、音声読み上げの音量を調整することができる。この「音量設定」ボタン６６の「−」部をクロック操作すると（図２０のステップ３０７）、その操作毎に音量が１段階ずつ小さくなっていき（図２０のステップ３０８）、出力される合成音声が低くなっていく。また、この「音量設定」ボタン６６の「＋」部をクロック操作すると（図２０のステップ３０７）、その操作毎に音量が１段階ずつ大きくなっていき（図２０のステップ３０９）、出力される合成音声が高くなっていく。音量表示部６６ａでは、そのときの音量が表示される。
【０１０６】
さらに、Ｗｅｂページ３１の読み上げが行なわれているときに「よむ速さ設定」ボタン６７をクロック操作することにより、音声読み上げの速さを調整することができる。この「よむ速さ設定」ボタン６７の「−」部をクロック操作すると（図２０のステップ３０７）、その操作毎に読む速さが１段階ずつ小さくなっていき（図２０のステップ３１０）、出力される合成音声の速さが低くなっていく。また、この「よむ速さ設定」ボタン６７の「＋」部をクロック操作すると（図２０のステップ３０７）、その操作毎に読む速さが１段階ずつ大きくなっていき（図２０のステップ３１１）、出力される合成音声が速くなっていく。
【０１０７】
このようにして、Ｗｅｂページ３１の読み上げの音量や速さを適宜調整することができる。なお、音量や読む速さは５段階で調整可能としたが、これに限るものではないことはいうまでもない。
【０１０８】
Ｗｅｂページ３１のこのような音声読み上げ中に音声読み上げ操作部６０の「一時停止」ボタン６５がクリック操作されると、図２０でステップ３０２〜３１２の動作中で動作が停止し、音声読み上げが一時停止する。この「一時停止」ボタン６５が再度クリック操作されると、この一時停止が解除され、再び音声読み上げが行なわれる。
【０１０９】
音声読み上げを終了する場合には、音声読み上げ操作部６０の「ＯＦＦ」ボタン６２をクリック操作する。これにより、音声読みだし動作は終了し（図２０のステップ３１３）、図１２でのステップ２０４に戻り、図１８に示す表示状態でステップ２０４，２０７の判定動作を繰り替えす。勿論、このとき、コントローラパネル５１の音声読み上げ操作部６０での「ＯＮ」ボタン６１がクリック操作されると、図２０に示す動作が行なわれて、上記のように、Ｗｅｂページ３１の音声読み上げが行なわれる。
【０１１０】
なお、Ｗｅｂページ３１の音声読み上げの際には、図２１に示すように、文章の読み上げている部分７０を白黒反転するとともに、吹き出し７１でもってその部分を拡大表示するようにしてもよい。これにより、読み上げ部分７０を視覚的にも容易に認識できる。
【０１１１】
また、このようなＷｅｂページ３１の音声読み上げの際でも、コントローラパネル５１での表示サイズ変更操作部５１を操作することができる。図２２はＷｅｂページ３１を拡大率１９４％に拡大表示した場合を示し、図２３は拡大率５２％に縮小表示した場合を示す。これらの場合、設定情報表示部５８で夫々の拡大率が表示される。なお、図２２及び図２３では、コントローラパネル５１の機能選択操作部５３で「よみあげ」ボタン５５が選択されているが、音声読み上げ操作部６０では、「ＯＦＦ」ボタン６２が選択されているため、Ｗｅｂページ３１の音声読み上げは行なわれていないが、「ＯＮ」ボタン６１が選択されていてＷｅｂページ３１の音声読み上げが行なわれているときには、設定情報表示部５８では、「音声ＯＮ」などの情報も表示されることになる。
【０１１２】
例えば、図１４や図１８に示す表示画面３０の表示状態でコントローラパネル５１の機能選択操作部５３での「ふりがな」ボタン５６（図１５）をクリック操作すると、図２４に示すように、表示画面３０に、Ｗｅｂページ３１とともに、機能設定領域５７がふりがな（ルビ）操作部７２に代わったコントローラパネル５１が表示される。
【０１１３】
このコントローラパネル５１を拡大して示すと、図２５に示すように、ふりがな（ルビ）操作部７２では、操作表示マーク７３ａを備えた「ひらがな」ボタン７３と、操作表示マーク７４ａを備えた「ローマ字」ボタン７４と、「元に戻す」ボタン７５とが設けられている。これらボタン７２〜７３も、クリック操作されると、押し込まれてへこんだように表示され、また、操作表示マーク７３ａ，７４ａも、先の操作表示マークのように、色弱者でも見易い色で点灯する。
【０１１４】
かかるコントローラパネル５１のふりがな「るび」操作部７２の操作により、Ｗｅｂページの文章がふりがなが付されて表示されるものであるが、その動作を図２６に示すフローチャートにより説明する。なお、そのときのコントローラパネル５１は図２５をもとに説明する。
【０１１５】
いま、図１２のステップ２０４，２０７の判定処理が繰り返されて図１４や図１８に示す表示画面３０の表示状態でコントローラパネル５１の機能選択操作部５３での「ふりがな」ボタン５６（図１５）をクリック操作すると（図１２でのステップ２０４）、表示画面３０は図２４に示す表示状態となり、ふりがな（ルビ）操作部７２を持つコントローラパネル５１が表示される。これとともに、図２６に示すフローチャートの動作に移るが、このふりがな（ルビ）操作部７２が操作されない場合には（図２６のステップ４００）、図１２のステップ２０４に戻り、ふりがなが付されていないときの図２４に示す表示状態でステップ２０４，２０７の判定動作が繰り返される。
【０１１６】
しかる後、コントローラパネル５１のふりがな（ルビ）操作部７２での「ひらがな」ボタン７３（図２５）がクリック操作されると、再び図２６に示す動作に入り、この「ひらがな」ボタン７３のクリック操作が検出されて（図２６のステップ４００）、ひらがなルビの付加処理が行なわれる（図２６のステップ４０１）。これにより、図２４に示すように、Ｗｅｂページ３１がその文章にひらがなによるふりがな７６が付されて表示される。
【０１１７】
また、コントローラパネル５１のふりがな（ルビ）操作部７２での「ローマ字」ボタン７４（図２５）がクリック操作されると、この「ローマ字」ボタン７４のクリック操作が検出されて（図２６のステップ４００）、ローマ字ルビの付加処理が行なわれる（図２６のステップ４０２）。これにより、図２７に示すように、Ｗｅｂページ３１がその文章にローマ字によるふりがな７７が付されて表示される。
【０１１８】
さらに、図２４もしくは図２７に示すようにふりがな７６，７７が付された表示状態で、コントローラパネル５１のふりがな（ルビ）操作部７２での「元に戻す」ボタン７５（図２５）がクリック操作されると、付されていたふりがなが除かれ、ふりがなのないＷｅｂページ３１が表示された状態となる。この場合、コントローラパネル５１は、ふりがな（ルビ）操作部７２を持つ状態で表示され手織り、図１２のステップ２０４，２０７の判定動作が繰り返されて次のコントローラパネル５１の操作を待つ。
【０１１９】
以上のようにして、この第２の実施形態では、表示画面３０に表示されるＷｅｂページ３１の表示サイズの変更やカラーの変更ばかりでなく、Ｗｅｂページ３１の音声読み上げやふりがな付けの機能も有するものであって、コントローラパネル５１での簡単で分かり易い操作でもって、かかる機能を用いることができ、閲覧者は適宜の機能を選択することにより、Ｗｅｂページ３１をより見易いものとすることができる。
【０１２０】
また、かかる機能の設定内容（上記の白黒反転の設定，音声読み上げ，ひらがなルビなど）は、その設定内容の解除の操作がない限り、表示画面３０での表示が停止されるまで継続して設定されたままである。
【０１２１】
ところで、図１４や図１６〜図１８，図２１〜図２４，図２７に示すように、表示画面３０にコントローラパネル５１が表示されている状態でこのコントローラパネル５１の操作が行なわれないときには、先にも説明したように、図１２でのステップ２０４，２０７の判定動作が繰り返される待機状態（設定された機能でＷｅｂページ３１が表示されている状態）にあるが、かかる待機状態で表示／非表示切替スイッチエリア５０のクリック操作が行なわれると、あるいはコントローラパネル５１の「閉じる」ボタン５９（図１５）のクリック操作が行なわれると（図１２のステップ２０７）、コントローラパネル５１の表示が終了し（図１２のステップ２０８）、図１３に示すように、表示画面３０にＷｅｂページ３１と表示／非表示切替スイッチエリア５０とが表示されている状態となる。かかる表示状態で図１２のステップ２０１，２０２の判定動作が繰り返され、表示／非表示切替スイッチエリア５０の次の操作を待つ待機状態になる。したがって、かかる状態で表示／非表示切替スイッチエリア５０をクリック操作すると（図１２のステップ２０２）、次のステップ２０３に進み、上記の機能設定が可能となる。
【０１２２】
また、表示画面３０が図１３に示す表示状態にあって、図１２のステップ２０１，２０２の判定動作を繰り返す待機状態にあるとき、この表示画面３０での表示／非表示切替スイッチエリア５０を上記の所定時間（例えば、１〜２秒間）タッチ操作すると（図１２のステップ２０１）、図２８に示すステップ５００に進む。このステップ５００では、表示画面３０に設定情報表示部が表示されているか否かの判定が行なわれ、この場合には（図１３）、Ｗｅｂページ３１と表示／非表示切替スイッチエリア５０しか表示されていないので、設定情報表示部が表示されていないと判定し、設定情報表示部の表示処理を行なう（図２８のステップ５０１）。
【０１２３】
この結果、図２９に示すように、表示画面３０では、その一部に（Ｗｅｂページ３１や表示／非表示切替スイッチエリア５０に重なるようにして）設定情報表示部７８が表示される。この設定情報表示部７８では、上記のように、機能設定操作によって設定された機能の設定情報が表示される。図示する例では、Ｗｅｂページ３１が拡大率１００％で白黒表示されており、また、音量「３」，読む速さ「１」で音声読み上げが行なわれ、さらに、ひらならルビが行なわれていることを示している。
【０１２４】
このように、設定情報表示部７８の表示処理が行なわれると（図２８のステップ５０１）、図１２のステップ２０１に戻り、ステップ２０１，２０２の判定動作が繰り返されて次の操作を待つ待機状態になる。そして、図２９に示す表示状態で表示／非表示切替スイッチエリア５０を再度所定時間タッチ操作を行なうと、図２８のステップ５００に進み、設定情報表示部が表示されていると判定される。この場合には、設定情報表示部７８の表示を終了させる処理が行なわれ（図２８のステップ５０２）、しかる後、図１２の２０１に戻り、ステップ２０１，２０２の判定動作が繰り返されて次の操作を待つ待機状態になる。これにより、表示画面３０では、図２９に示す表示状態から図１３に示す表示状態に移る。
【０１２５】
なお、かかる設定情報表示部７８の画像データは、コントローラパネル５１の
設定情報表示部５８の部分を抽出したものである。
【０１２６】
このようにして、閲覧者は、Ｗｅｂページ３１に対する現在の機能設定状態を確認することができる。
【図面の簡単な説明】
【０１２７】
【図１】本発明によるクライアント端末の利用システムを示すシステム構成図である。
【図２】本発明によるクライアント端末の第１の実施形態の概略構成を示すブロック図である。
【図３】図１におけるサーバからクライアント端末にダウンロードされたＷｅｂページやその表示形態を制御するためのソフトウェアを示す図である。
【図４】図２に示す第１の実施形態の動作の一具体例を示すフローチャートである。
【図５】図３に示す表示部の表示画面にダウンロードされたＷｅｂページだけを表示した状態を示す図である。
【図６】図３に示す表示部の表示画面にＷｅｂページとこの表示形態を変更させるためのコントローラパネルとを表示した状態を示す図である。
【図７】図６に示すコントローラパネルの構成の一具体例を示す図である。
【図８】本発明によるクライアント端末の第１の実施形態でのコントローラパネルの操作によってＷｅｂページが拡大表示した状態を示す図である。
【図９】本発明によるクライアント端末の第１の実施形態でのコントローラパネルの操作によってＷｅｂページが縮小表示した状態を示す図である。
【図１０】本発明によるクライアント端末の第１の実施形態でのコントローラパネルの操作によってＷｅｂページがモノクロ反転表示した状態を示す図である。
【図１１】本発明によるクライアント端末の第１の実施形態でのコントローラパネルの操作によってＷｅｂページが色調反転表示した状態を示す図である。
【図１２】本発明によるクライアント端末の第２の実施形態の動作の一具体例を示すフローチャートである。
【図１３】本発明によるクライアント端末の第２の実施形態での図３に示す表示部の表示画面にダウンロードされたＷｅｂページだけを表示した状態を示す図である。
【図１４】本発明によるクライアント端末の第２の実施形態での図３に示す表示部の表示画面にＷｅｂページとこの表示形態を変更させるためのコントローラパネルとを表示した状態を示す図である。
【図１５】図１４に示すコントローラパネルの構成の一具体例を示す図である。
【図１６】本発明によるクライアント端末の第２の実施形態でのコントローラパネルの操作によってＷｅｂページがモノクロ反転表示した状態を示す図である。
【図１７】本発明によるクライアント端末の第２の実施形態でのコントローラパネルの操作によってＷｅｂページが色調反転表示した状態を示す図である。
【図１８】本発明によるクライアント端末の第２の実施形態でのＷｅｂページの音声読み上げモードでの表示画面の一具体例を示す図である。
【図１９】図１８に示すコントローラパネルの拡大図である。
【図２０】本発明によるクライアント端末の第２の実施形態でのＷｅｂページの音声読み上げ処理動作を示すフローチャートである。
【図２１】本発明によるクライアント端末の第２の実施形態でのＷｅｂページの音声読み上げモードでの表示画面の他の具体例を示す図である。
【図２２】本発明によるクライアント端末の第２の実施形態でのＷｅｂページの音声読み上げモードでの表示画面のさらに他の具体例を示す図である。
【図２３】本発明によるクライアント端末の第２の実施形態でのＷｅｂページの音声読み上げモードでの表示画面のさらに他の具体例を示す図である。
【図２４】本発明によるクライアント端末の第２の実施形態でのＷｅｂページのふりがな（るび）モードでの表示画面の一具体例を示す図である。
【図２５】図２４に示すコントローラパネルの拡大図である。
【図２６】本発明によるクライアント端末の第２の実施形態でのＷｅｂページのふりがな付け処理動作を示すフローチャートである。
【図２７】本発明によるクライアント端末の第２の実施形態でのＷｅｂページのふりがな（るび）モードでの表示画面の他の具体例を示す図である。
【図２８】本発明によるクライアント端末の第２の実施形態での設定情報表示部の表示処理を示すフローチャートである。
【図２９】図２８に示す処理で設定情報表示部が表示された表示画面を示す図である。
【符号の説明】
【０１２８】
１  クライアント端末
２  サーバ
３  ネットワーク
１１  ＣＰＵ
１２  記憶装置
１３  外部端子
１４  通信制御部
１５  入力部
１６  表示部
２０  Ｗｅｂブラウザ
２１  ＨＴＭＬファイルのＷｅｂページ
２２  コントローラパネルのＨＴＭＬファイル
２３  インターフェース操作プログラム
２４  対象ＨＴＭＬ変更プログラム
３０  表示画面
３１  Ｗｅｂページ
３２  コントローラパネル
３７  画面カラー変更操作部
５０  表示／非表示切替スイッチエリア
５１  コントローラパネル
５２  表示サイズ変更操作部
５３  機能選択操作部
５４  「カラー変更」ボタン
５５  「よみあげ」ボタン
５６  「ふりがな」ボタン
５７  機能設定領域
６０  音声読み上げ操作部
７２  ふりがな（ルビ）操作部
７８  設定情報表示部
【図１】
2005166009.tif 000003
【図２】
2005166009.tif 000004
【図３】
2005166009.tif 000005
【図４】
2005166009.tif 000006
【図５】
2005166009.tif 000007
【図６】
2005166009.tif 000008
【図７】
2005166009.tif 000009
【図８】
2005166009.tif 000010
【図９】
2005166009.tif 000011
【図１０】
2005166009.tif 000012
【図１１】
2005166009.tif 000013
【図１２】
2005166009.tif 000014
【図１３】
2005166009.tif 000015
【図１４】
2005166009.tif 000016
【図１５】
2005166009.tif 000017
【図１６】
2005166009.tif 000018
【図１７】
2005166009.tif 000019
【図１８】
2005166009.tif 000020
【図１９】
2005166009.tif 000021
【図２０】
2005166009.tif 000022
【図２１】
2005166009.tif 000023
【図２２】
2005166009.tif 000024
【図２３】
2005166009.tif 000025
【図２４】
2005166009.tif 000026
【図２５】
2005166009.tif 000027
【図２６】
2005166009.tif 000028
【図２７】
2005166009.tif 000029
【図２８】
2005166009.tif 000030
【図２９】
2005166009.tif 000031
【手続補正書】
【提出日】平成16年7月13日(2004.7.13)
【手続補正１】
【補正対象書類名】特許請求の範囲
【補正対象項目名】全文
【補正方法】変更
【補正の内容】
【特許請求の範囲】
【請求項１】
ネットワークを介したサーバのサービスを受けることができるようにしたクライアント端末であって、
表示画面に、該サーバからダウンロードされたＷｅｂページとともに、該Ｗｅｂページの表示形態を変更操作するためのリモコン形態のコントローラパネルを表示可能としたことを特徴とするクライアント端末。
【請求項２】
請求項１において、
前記コントローラパネルでは、前記Ｗｅｂページの拡大率を変更させるための操作手段、モノクロ反転のための操作手段及び色調反転のための操作手段を設けたことを特徴とするクライアント端末。
【請求項３】
請求項１において、
前記コントローラパネルは、
前記Ｗｅｂページの拡大率を変更させるための表示サイズ変更操作手段と、
該表示サイズ変更手段で変更可能な表示形態以外の前記Ｗｅｂページの表示形態であって、該表示形態毎に設定・変更を行なうための複数の操作手段を選択的に表示する機能設定領域と、
該複数の操作手段のいずれか１つを選択して該機能設定領域に表示させるための機能選択操作手段と
を備え、該機能選択操作手段で選択されて該機能設定領域に表示された該操作手段を操作することにより、該操作に応じた表示形態で前記Ｗｅｂページを表示させることを特徴とするクライアント端末。
【請求項４】
請求項３において、
前記機能選択操作手段で選択可能な前記複数の操作手段は、
前記Ｗｅｂページのモノクロ反転表示や色調反転表示を行なわせるためのカラー変更操作手段と、
前記Ｗｅｂページの文章の読み上げを行なわせる音声読み上げ操作手段と、
前記Ｗｅｂページの文章にふりがなを付けるふりがな（ルビ）操作手段と
であることを特徴とするクライアント端末。
【請求項５】
請求項４において、
前記音声読み上げ操作手段は、読み上げる音量や速さの調整を可能としたことを特徴とするクライアント端末。
【請求項６】
請求項４において、
前記音声読み上げ操作手段は、前記Ｗｅｂページの読み上げる位置を変更可能としたことを特徴とするクライアント端末。
【請求項７】
請求項４において、
ふりがな（ルビ）操作手段は、前記Ｗｅｂページの文章に、ひらがなとローマ字のふりがなを選択的に可能としたことを特徴とするクライアント端末。
【請求項８】
請求項２〜７のいずれか１つにおいて、
前記操作手段は、カーソル操作によって機能することを特徴とするクライアント端末。
【請求項９】
請求項１〜８のいずれか１つにおいて、
前記表示画面に第１の表示状態と第２の表示状態との切り替えのための表示／非表示切替スイッチエリアを設け、
該第１の表示状態は、前記表示画面の第１のエリアを前記Ｗｅｂページの表示エリアとし、前記表示画面の第２のエリアを前記コントロールパネルの表示エリアとして、前記Ｗｅｂページと前記コントロールパネルとを同時に表示する表示状態であり、
該第２の表示状態は、前記表示画面の該第１のエリアと該第２のエリアとからなるエリアに前記Ｗｅｂページを表示し、前記コントロールパネルの表示を禁止する表示状態であることを特徴とするクライアント端末。
【請求項１０】
請求項９において、
前記第２の表示状態では、前記表示／非表示切替スイッチエリアの操作に応じて、前記コントロールパネルの操作によって設定された表示形態に関する情報を表示された設定情報表示部が、前記表示画面に表示可能としたことを特徴とするクライアント端末。
【手続補正２】
【補正対象書類名】明細書
【補正対象項目名】００７４
【補正方法】変更
【補正の内容】
【００７４】
なお、ここでは、コントローラパネル５１は、表示画面３０でのＷｅｂページ３１の表示領域の左側に表示されるものとしたが、上記の第１の実施形態のように、Ｗｅｂページ３１の表示領域の右側に表示されるようにしてもよいし、また、Ｗｅｂページ３１が表示画面３０全体に表示される場合には、このＷｅｂページ３１に重なってコントローラパネル５１が表示されるようにしてもよい。